(57)【特許請求の範囲】
【請求項１】
ユーザの操作に応じたコマンドを含む第１のシリアル信号を生成し、該第１のシリアル信号を赤外線通信によって出力する赤外線リモートコントローラと、
ユーザの操作に応じたキー番号を含むコード信号を生成し、該コード信号を無線通信によって出力する無線リモートコントローラと、
上記第１のシリアル信号を受信する受光部と、
上記コード信号を受信し、該コード信号を上記キー番号に対応するコマンドを含む第２のシリアル信号に変換するとともに、上記コード情報を受信したことを示す制御信号を生成する受信部と、
上記制御信号に基づき上記第１のシリアル信号および上記第２のシリアル信号の一方を選択して出力し、上記制御信号が供給されている場合には、上記第２のシリアル信号を選択する選択部と、
上記選択部によって選択された上記第１のシリアル信号および上記第２のシリアル信号のいずれかのシリアル信号に含まれるコマンドに基づき各部を制御する制御部と
を有する電子機器と
を備え、
上記受信部は、
上記コード信号が入力された際に、上記制御信号の生成を開始し、
上記制御信号の生成開始から所定時間経過後に、上記コード信号の上記第２のシリアル信号への変換を開始し、
上記第２のシリアル信号の変換が完了してから所定時間経過後に、上記制御信号の生成を完了するリモートコントロールシステム。
【請求項２】
請求項１に記載のリモートコントロールシステムにおいて、
上記受信部は、上記コード信号を上記第２のシリアル信号に変換するシリアル変換部を有し、
上記シリアル変換部において、上記コード信号に基づき上記制御信号を生成する
ことを特徴とするリモートコントロールシステム。
【請求項３】
上記受信部は、
受信された上記コード信号を上記第２のシリアル信号に変換する際に、上記コード信号に対して同一の上記第２のシリアル信号を複数回出力し、
上記制御部は、
上記受信部から出力された上記複数回の第２のシリアル信号に基づき上記第２のシリアル信号が正しい信号であるか否かを判断し、
上記複数回の第２のシリアル信号のうち、同一の第２のシリアル信号が所定回数分存在する場合に、上記第２のシリアル信号が正しい信号であると判断し、上記第２のシリアル信号に含まれるコマンドに基づき各部を制御する請求項１に記載のリモートコントロールシステム。
【請求項４】
第１のリモートコントローラに対するユーザの操作に応じたコマンドを含む第１のシリアル信号を赤外線通信によって受信する受光部と、
第２のリモートコントローラに対するユーザの操作に応じたキー番号を含むコード信号を無線通信によって受信し、該コード信号を上記キー番号に対応するコマンドを含む第２のシリアル信号に変換するとともに、上記コード情報を受信したことを示す制御信号を生成する受信部と、
上記制御信号に基づき上記第１のシリアル信号および上記第２のシリアル信号の一方を選択して出力し、上記制御信号が供給されている場合には、上記第２のシリアル信号を選択する選択部と、
上記選択部によって選択された上記第１のシリアル信号および上記第２のシリアル信号のいずれかのシリアル信号に含まれるコマンドに基づき各部を制御する制御部と
を有し、
上記受信部は、
上記コード信号が入力された際に、上記制御信号の生成を開始し、
上記制御信号の生成開始から所定時間経過後に、上記コード信号の上記第２のシリアル信号への変換を開始し、
上記第２のシリアル信号の変換が完了してから所定時間経過後に、上記制御信号の生成を完了する電子機器。
【請求項５】
第１のリモートコントローラに対するユーザの操作に応じたコマンドを含む第１のシリアル信号を赤外線通信によって受信する受光ステップと、
第２のリモートコントローラに対するユーザの操作に応じたキー番号を含むコード信号を無線通信によって受信し、該コード信号を上記キー番号に対応するコマンドを含む第２のシリアル信号に変換するとともに、上記コード情報を受信したことを示す制御信号を生成する受信ステップと、
上記制御信号に基づき上記第１のシリアル信号および上記第２のシリアル信号の一方を選択して出力し、上記制御信号が供給されている場合には、上記第２のシリアル信号を選択する選択ステップと、
上記選択部によって選択された上記第１のシリアル信号および上記第２のシリアル信号のいずれかのシリアル信号に含まれるコマンドに基づき各部を制御する制御ステップと
を有し、
上記受信ステップは、
上記コード信号が入力された際に、上記制御信号の生成を開始し、
上記制御信号の生成開始から所定時間経過後に、上記コード信号の上記第２のシリアル信号への変換を開始し、
上記第２のシリアル信号の変換が完了してから所定時間経過後に、上記制御信号の生成を完了する制御方法。
【発明の詳細な説明】
【技術分野】
【０００１】
この発明は、リモートコントローラを用いて電子機器を操作するリモートコントロールシステム、電子機器および制御方法に関する。
【背景技術】
【０００２】
従来から、テレビジョン受像機などの電子機器を操作するためのユーザインタフェースとして、リモートコントローラ（以下、リモコンと適宜称する）が広く使用されている。リモコンとしては、一般に、赤外線通信方式を用いた赤外線リモコンが普及しており、例えば、複数のメーカの複数種類の電子機器を操作可能なマルチリモコンや、元となるリモコンから発せられる赤外線による発光コードを受光した上で解析を行い、解析したコードを記憶する学習機能を搭載した学習リモコンが商品化されている。
【０００３】
ところで、最近では、赤外線リモコンで操作する電子機器として、液晶パネルやＰＤＰ（Plasma Display Panel）などを表示パネルとして用いた薄型テレビジョン受像機（以下、薄型テレビと適宜称する）が普及してきているが、薄型テレビでは、赤外線リモコンから発せられる赤外線信号の波長と非常に近い波長の光が表示パネルから放射されることがある。
【０００４】
このような場合、例えば、薄型テレビの電源を投入した際に、表示パネルから放射される光が薄型テレビに設けられた受光部に入射することによって、赤外線リモコンからの赤外線信号と干渉してしまい、リモコンによる操作が困難となってしまうという問題点があった。特に、ＰＤＰを用いた薄型テレビでは、赤外線信号の波長と略等しい波長の光が放射されることがある。
【０００５】
このような問題を解決する方法として、赤外線リモコンから出力される赤外線信号の波長と非常に近い波長を遮断する光学フィルタを薄型テレビの受光部に設ける方法がある。また、赤外線信号の波長と略等しい波長の光が放射される場合には、この波長を遮断する光学フィルタを表示パネル全面に設ける方法がある。
【０００６】
しかしながら、薄型テレビなどの電子機器の受光部や表示パネルに光学フィルタを設けた場合には、電子機器のコストが増加してしまうという問題点があった。
【０００７】
そこで、最近では、リモートコントローラとして、例えば２．４ＧHz帯のＩＳＭ(Industrial,Scientific and Medical use)バンドの無線通信方式を用いた無線リモートコントローラ（以下、無線リモコンと適宜称する）が注目されている。無線リモコンでは、無線通信によって電子機器に対して信号を送信するので、電子機器の表示パネルから放射される光がリモコンからの信号に干渉してしまうことがない。そのため、電子機器の受光部や表示パネルに光学フィルタを設ける必要がない。
【０００８】
また、無線リモコンでは、例えば、無線リモコンと操作対象の電子機器との間に遮蔽物があっても電子機器を制御することができたり、無線リモコンをいちいち電子機器の方向に向けることなく、電子機器を制御することができるといった特徴がある。
【０００９】
このように、無線通信方式を用いた無線リモコンに関する技術が下記の特許文献１に記載されている。
【００１０】
【特許文献１】特開２００２−１６９８８号公報
【発明の開示】
【発明が解決しようとする課題】
【００１１】
しかしながら、現在は、赤外線リモコンが主流であるため、無線リモコンのみを使用可能なようにしてしまうと、ユーザが所有するマルチリモコンや学習リモコンなどの赤外線リモコンを用いて電子機器を操作することができなくなってしまうという問題点があった。そのため、このような問題を解決するためには、赤外線リモコンおよび無線リモコンの両方を使用できるようにする必要がある。
【００１２】
したがって、この発明の目的は、赤外線リモートコントローラおよび無線リモートコントローラを切り替えて使用可能なリモートコントロールシステム、電子機器および制御方法を提供することにある。
【課題を解決するための手段】
【００１３】
上述した課題を解決するために、第１の発明は、ユーザの操作に応じたコマンドを含む第１のシリアル信号を生成し、第１のシリアル信号を赤外線通信によって出力する赤外線リモートコントローラと、
ユーザの操作に応じたキー番号を含むコード信号を生成し、コード信号を無線通信によって出力する無線リモートコントローラと、
第１のシリアル信号を受信する受光部と、
コード信号を受信し、コード信号をキー番号に対応するコマンドを含む第２のシリアル信号に変換するとともに、コード情報を受信したことを示す制御信号を生成する受信部と、
制御信号に基づき第１のシリアル信号および第２のシリアル信号の一方を選択して出力し、制御信号が供給されている場合には、第２のシリアル信号を選択する選択部と、
選択部によって選択された第１のシリアル信号および第２のシリアル信号のいずれかのシリアル信号に含まれるコマンドに基づき各部を制御する制御部と
を有する電子機器と
を備え、
受信部は、
コード信号が入力された際に、制御信号の生成を開始し、
制御信号の生成開始から所定時間経過後に、コード信号の第２のシリアル信号への変換を開始し、
第２のシリアル信号の変換が完了してから所定時間経過後に、制御信号の生成を完了するリモートコントロールシステムである。
【００１４】
また、第２の発明は、第１のリモートコントローラに対するユーザの操作に応じたコマンドを含む第１のシリアル信号を赤外線通信によって受信する受光部と、
第２のリモートコントローラに対するユーザの操作に応じたキー番号を含むコード信号を無線通信によって受信し、コード信号をキー番号に対応するコマンドを含む第２のシリアル信号に変換するとともに、コード情報を受信したことを示す制御信号を生成する受信部と、
制御信号に基づき第１のシリアル信号および第２のシリアル信号の一方を選択して出力し、制御信号が供給されている場合には、第２のシリアル信号を選択する選択部と、
選択部によって選択された第１のシリアル信号および第２のシリアル信号のいずれかのシリアル信号に含まれるコマンドに基づき各部を制御する制御部と
を有し、
受信部は、
コード信号が入力された際に、制御信号の生成を開始し、
制御信号の生成開始から所定時間経過後に、コード信号の第２のシリアル信号への変換を開始し、
第２のシリアル信号の変換が完了してから所定時間経過後に、制御信号の生成を完了する電子機器である。
【００１５】
また、第３の発明は、第１のリモートコントローラに対するユーザの操作に応じたコマンドを含む第１のシリアル信号を赤外線通信によって受信する受光ステップと、
第２のリモートコントローラに対するユーザの操作に応じたキー番号を含むコード信号を無線通信によって受信し、コード信号をキー番号に対応するコマンドを含む第２のシリアル信号に変換するとともに、コード情報を受信したことを示す制御信号を生成する受信ステップと、
制御信号に基づき第１のシリアル信号および第２のシリアル信号の一方を選択して出力し、制御信号が供給されている場合には、第２のシリアル信号を選択する選択ステップと、
選択部によって選択された第１のシリアル信号および第２のシリアル信号のいずれかのシリアル信号に含まれるコマンドに基づき各部を制御する制御ステップと
を有し、
受信ステップは、
コード信号が入力された際に、制御信号の生成を開始し、
制御信号の生成開始から所定時間経過後に、コード信号の第２のシリアル信号への変換を開始し、
第２のシリアル信号の変換が完了してから所定時間経過後に、制御信号の生成を完了する制御方法である。
【００１６】
上述したように、第１、第２および第３の発明では、第１のリモートコントローラに対するユーザの操作に応じたコマンドを含む第１のシリアル信号を赤外線通信によって受信し、第２のリモートコントローラに対するユーザの操作に応じたキー番号を含むコード信号を無線通信によって受信し、コード信号をキー番号に対応するコマンドを含む第２のシリアル信号に変換するとともに、コード情報を受信したことを示す制御信号を生成し、制御信号に基づき第１のシリアル信号および第２のシリアル信号の一方を選択して出力し、制御信号が供給されている場合には、第２のシリアル信号を選択するようにしているため、第１のリモートコントローラによって制御されている場合であっても、第２のリモートコントローラによる制御が優先される。
【発明の効果】
【００１７】
この発明は、無線リモートコントローラからのコード信号を検出した際に制御信号を生成し、制御信号に基づき選択部の入力を切り替えるように制御しているため、赤外線リモートコントローラおよび無線リモートコントローラの両方のリモートコントローラを切り替えて使用することができるという効果がある。
【００１８】
また、この発明は、通常は、選択部の入力として受光部側が選択されており、制御信号が選択部に供給された場合には、入力を受信部側に切り替えるようにしているため、無線リモートコントローラによる制御を優先的に行うことができるという効果がある。
【発明を実施するための最良の形態】
【００１９】
以下、この発明の実施の一形態について、図面を参照しながら説明する。この発明の実施の一形態によるリモートコントロールシステム１は、図１に示すように、電子機器１０、第１のリモートコントローラとしての赤外線リモートコントローラ２０および第２のリモートコントローラとしての無線リモートコントローラ３０で構成される。なお、この例では、電子機器１０として、ディジタルテレビジョン放送が受信可能なテレビジョン受像機を適用した場合について説明する。
【００２０】
赤外線リモートコントローラ２０は、赤外線リモートコントローラ２０に設けられた操作キーをユーザが操作することにより、操作に応じたコマンドを含む赤外線信号を生成し、赤外線通信を用いて電子機器１０に対して送信する。
【００２１】
無線リモートコントローラ３０は、無線リモートコントローラ３０に設けられた操作キーをユーザが操作することにより、操作に応じたコマンドを含む送信信号を生成し、無線通信を用いて電子機器１０に対して送信する。無線通信方式としては、例えば、ＩＥＥＥ（Institute of Electrical and Electronic Engineers）８０２．１５．４の物理層を使用することができる。ＩＥＥＥ８０２．１５．４は、ＰＡＮ(Personal Area Network)またはＷ(Wireless)ＰＡＮと呼ばれる短距離無線ネットワーク規格の名称である。
【００２２】
電子機器１０は、チューナ部１２、デスクランブラ１３、デマルチプレクサ（ＤｅＭＵＸ：De-MUltipleXer）部１４、デコーダ１５、映像処理部１６、音声処理部１７、表示部１８、音声出力部１９、受光部４０、受信部５０、選択部６０および機器制御部７０を備える。
【００２３】
電子機器１０は、外部に接続されたアンテナ１１により、図示されない放送設備から送信されたディジタルテレビジョン放送の電波を受信する。そして、受信したディジタルテレビジョンの電波をチューナ部１２に供給する。チューナ部１２は、アンテナ１１を介して供給されるディジタルテレビジョン放送の電波から所定の周波数の変調信号を選局する。そして、選局された変調信号に対して復調処理や誤り訂正処理などの所定の信号処理を施しトランスポートストリーム（ＴＳ：Transport Stream）をデスクランブラ１３に対して出力する。
【００２４】
デスクランブラ１３は、供給されたＴＳに対して、必要に応じてスクランブルを解除するための処理を施し、スクランブルが解除されたＴＳをデマルチプレクサ１４に対して出力する。デマルチプレクサ１４は、供給されたＴＳについて、ＴＳパケットのヘッダ部に格納された、それぞれのパケットを識別するためのＰＩＤ（Packet IDentification）の値に基づきフィルタリングを行い、多重されたＴＳの中からビデオストリームやオーディオストリームなどの必要なストリームを取り出し、デコーダ１５に供給する。
【００２５】
デコーダ１５は、ビデオストリームおよびオーディオストリームに対してそれぞれ復号処理を施し、映像信号および音声信号を出力する。復号された映像信号は、映像処理部１６に供給される。また、復号された音声信号は、音声処理部１７に供給される。
【００２６】
映像処理部１６は、供給された映像信号に対してノイズ除去や解像度変換、フレーム補間などの所定の画像処理を施し、表示部１８に供給する。表示部１８としては、例えば、ＣＲＴ（Cathode Ray Tube）やＬＣＤ（Liquid Crystal Display）を用いることができる。音声処理部１７は、供給された音声信号に対して所定の音声処理を施し、音声出力部１９に供給し、供給された音声信号が音声出力部１９から出力される。
【００２７】
受光部４０は、赤外線リモートコントローラ２０から送信された赤外線信号を受信し、所定の信号処理を施して得られる、リモートコントローラのシリアルコードであるシリアル信号を選択部６０に供給する。
【００２８】
受信部５０は、無線リモートコントローラ３０から送信された送信信号を受信し、所定の信号処理を施して得られる、リモートコントローラのシリアルコードであるシリアル信号を選択部６０に供給する。また、受信部５０は、無線リモートコントローラ３０からの送信信号を受信した際に、後述する選択部６０に供給されるシリアル信号を切り替えるための制御信号を生成し、選択部６０に供給する。
【００２９】
選択部６０は、例えばスイッチであり、受信部５０からの制御信号に基づき、受光部４０および受信部５０から受け取ったシリアル信号のうち一方の信号を切り替えて選択し、機器制御部７０に供給する。選択部６０では、通常、受光部４０側の入力が選択された状態となっており、受光部４０から供給されたシリアル信号を出力する。そして、受信部５０から制御信号が供給されている間は、受信部５０側の入力が選択され、受信部５０から供給されたシリアル信号を出力する。
【００３０】
機器制御部７０は、図示しないＲＯＭ（Read Only Memory）に予め格納されたプログラムに従い、図示しないＲＡＭ（Random Access Memory）をワークメモリとして各部を制御する。また、機器制御部７０は、選択部６０からシリアル信号を受け取り、シリアル信号に含まれるコマンドに応じた動作を行うように、各部を制御する。
【００３１】
赤外線リモートコントローラ２０の一例の構成について説明する。赤外線リモートコントローラ２０は、図２Ａに示すように、キーマトリクス２１、制御部２２、シリアル変換部２３、変調部２４および発光部２５を備える。キーマトリクス２１は、赤外線リモートコントローラ２０が備える操作キーの中でどのキーが押されたかを検出し、検出結果を示す検出信号を制御部２２に供給する。
【００３２】
制御部２２は、キーマトリクス２１から供給された検出信号に基づき、押されたキーのキー番号を含むコード信号を生成し、シリアル変換部２３に供給する。シリアル変換部２３は、制御部２２から供給されたコード信号を、所定のフォーマットに従ってリモートコントローラのシリアルコードであるシリアル信号に変換し、変調部２４に供給する。シリアル信号に変換するフォーマットとしては、例えば、ＳＩＲＣＳ（Serial Infrared Remote Control System）が用いられる。
【００３３】
ＳＩＲＣＳで規定されるシリアル信号には、図３に示すように、シリアル信号の先頭であることを示すガイドパルス、各操作キーに関連付けられた電子機器１０の制御用データであるコマンドが記述されたデータコード、電子機器１０のカテゴリーを示すカテゴリーコードが含まれている。カテゴリーコードは、例えば電子機器１０の年代によってビット数が異なり、図３Ａに示す５ビット、図３Ｂに示す８ビット、図３Ｃに示す１３ビットで構成されている。
【００３４】
図２Ａに戻って説明すると、変調部２４は、所定の周波数のキャリアを、シリアル変換部２３から供給されたシリアル信号に基づき変調し、発光部２５に供給する。発光部２５は、変調部２４から供給された変調シリアル信号に基づきリモートコントロール信号としての赤外線信号を出力する。
【００３５】
無線リモートコントローラ３０の一例の構成について説明する。無線リモートコントローラ３０は、図２Ｂに示すように、キーマトリクス３１、制御部３２、変調部３３、ＲＦ部３４およびアンテナ３５を備える。キーマトリクス３１は、無線リモートコントローラ３０が備える操作キーの中でどのキーが押されたかを検出し、検出結果を示す検出信号を制御部３２に供給する。
【００３６】
制御部３２は、キーマトリクス３１から供給された検出信号に基づき、押されたキーに対応するコード信号を生成し、変調部３３に供給する。変調部３３は、制御部３２から供給されたコード信号に対して所定の変調処理を施し、ＲＦ部３４に供給する。変調方式としては、例えばＯＱＰＳＫ（Offset Quadrature Phase Shift Keying）変調方式やスペクトラム拡散方式が用いられる。ＲＦ部３４は、変調部３３から供給された変調コード信号を所定の周波数帯域にアップコンバートしたり、電力増幅などを行った送信信号を生成し、アンテナ３５を介して送信する。
【００３７】
受光部４０の一例の構成について説明する。受光部４０は、図４Ａに示すように、受光素子４１および復調部４２を備える。受光素子４１は、例えばフォトダイオードであり、赤外線リモートコントローラ２０から送信された赤外線信号を受信し、赤外線信号を電気信号に変換して復調部４２に供給する。復調部４２は、受光素子４１から供給された電気信号をシリアル信号に復調し、選択部６０に供給する。
【００３８】
受信部５０の一例の構成について説明する。受信部５０は、図４Ｂに示すように、アンテナ５１、ＲＦ部５２、復調部５３およびシリアル変換部５４を備える。ＲＦ部５２は、無線リモートコントローラ３０から送信された送信信号をアンテナ５１を介して受信し、所定の周波数帯域にダウンコンバートし、変調されたコード信号を得た後に復調部５３に供給する。
【００３９】
復調部５３は、ＲＦ部５２から供給された、変調されたコード信号に対して所定の復調処理を施し、コード信号をシリアル変換部５４に供給する。復調方式としては、例えばＯＱＰＳＫやスペクトラム拡散方式など、無線リモートコントローラ３０において用いられた変調方式と同一の方式が用いられる。
【００４０】
シリアル変換部５４は、復調部５３から供給されたコード信号を、所定のフォーマットに従ってシリアル信号に変換し、選択部６０に供給する。シリアル信号に変換するフォーマットとしては、赤外線リモートコントローラ２０で使用されているフォーマットと同一のものが用いられる。また、シリアル変換部５４は、復調部５３からコード信号を受け取った際に、コード信号を受け取ったことを示す制御信号を生成し、選択部６０に供給する。
【００４１】
次に、この発明の実施の一形態による切り替え制御方法について説明する。この発明の実施の一形態では、電子機器１０が無線リモートコントローラ３０からの送信信号を受信した際に生成される制御信号に基づいて選択部６０を制御し、赤外線リモートコントローラ２０からの信号に基づくシリアル信号と、無線リモートコントローラ３０からの信号に基づくシリアル信号とを切り替えるようにしている。
【００４２】
図５は、ユーザが無線リモートコントローラ３０に設けられた操作キーを操作してから、電子機器１０の制御が行われるまでの各種信号のタイミングを示す。ユーザが無線リモートコントローラ３０の操作キーを操作すると、キーマトリクス３１から操作された操作キーに対応する検出信号が出力される。制御部３２において、キーマトリクス３１から出力された検出信号に基づき、操作された操作キーに対応するコード信号が生成される。制御部３２で生成されたコード信号が変調部３３で変調され、変調コード信号が生成される。そして、ＲＦ部３４およびアンテナ３５を介して赤外線信号として電子機器１０に対して送信される。
【００４３】
電子機器１０では、無線リモートコントローラ３０から送信された赤外線信号をアンテナ５１で受信し、ＲＦ部５２を介して復調部５３で復調されたコード信号をシリアル変換部５４に供給する。
【００４４】
シリアル変換部５４では、復調部５３からコード信号が入力されると、選択部６０の入力を受信部５０側に切り替えるための制御信号の生成が開始され、選択部６０に対して出力される。そして、制御信号の出力が開始されてから所定時間待機した後に、コード信号からシリアル信号への変換が開始される。
【００４５】
なお、シリアル変換部５４においてコード信号をシリアル信号に変換する場合には、１つのコード信号に対して同一のシリアル信号が複数回、例えば３回出力される。これは、機器制御部７０において、入力されたシリアル信号が正しいものであるか否かを判断するためである。例えば、機器制御部７０では、入力された複数回のシリアル信号のうち、所定回数分、例えば３回中２回が同一のシリアル信号であれば、正しい信号であると判断し、シリアル信号に含まれたコマンドに基づき各部を制御するようにされている。
【００４６】
シリアル信号への変換が完了してから所定時間待機した後に、制御信号の出力が完了する。制御信号がシリアル変換部５４から選択部６０に供給されている間、選択部６０では、受信部５０側の入力が選択される。
【００４７】
ここで、シリアル変換部５４において、制御信号の出力を開始してから所定時間待機した後に、コード信号からシリアル信号への変換が開始され、シリアル信号への変換が完了してから所定時間待機した後に制御信号の出力が完了するが、これは、シリアル信号が選択部６０から機器制御部７０に入力された際に、変換されたシリアル信号と、その前後のシリアル信号とが連続した１つの信号であると判断されてしまうのを防ぐためである。
【００４８】
例えば、シリアル変換部５４から制御信号が出力されると同時にシリアル信号が出力され、シリアル信号の出力が完了すると同時に制御信号の出力が完了する場合について考える。図６Ａに示すように、ユーザが赤外線リモートコントローラ２０を操作して電子機器１０を制御している最中に、無線リモートコントローラ３０の操作が行われた場合、選択部６０では、シリアル変換部５４からの制御信号が供給され、受信部５０側の入力が選択される。
【００４９】
この場合、選択部６０では、受光部４０側の入力から入力されたシリアル信号の直後に、受信部５０側の入力から入力されたシリアル信号が機器制御部７０に対して出力されることになる。そのため、機器制御部７０は、受信部５０側の入力から入力されたシリアル信号と、その前に受信していた受光部４０側の入力から入力されたシリアル信号とが連続した１つの信号であると認識してしまう。
【００５０】
また、図６Ｂに示すように、ユーザが無線リモートコントローラ３０を操作して電子機器を制御している最中に、赤外線リモートコントローラ２０の操作が行われた場合、選択部６０では、シリアル変換部５４からの制御信号の供給が完了し、受光部４０側の入力が選択される。
【００５１】
この場合、選択部６０では、受信部５０側の入力から入力されたシリアル信号が完了した直後に、受光部４０側の入力から入力されたシリアル信号が機器制御部７０に対して出力されることになる。そのため、機器制御部７０は、受信部５０側の入力から入力されたシリアル信号と、直後に受信した受光部４０側の入力から入力されたシリアル信号とが連続した１つの信号であると認識してしまう。
【００５２】
上述のように、シリアル変換部５４からシリアル信号が出力されている間のみ制御信号が出力されるようにすると、機器制御部７０は、前後のシリアル信号が連続した１つの信号であると認識してしまい、正しい制御を行うことができなくなってしまう。
【００５３】
したがって、この発明の実施の一形態では、シリアル変換部５４から制御信号の出力が開始された後、所定時間待機してシリアル信号の出力を開始し、シリアル信号の出力が完了した後、所定時間待機して制御信号の出力を完了することにより、機器制御部７０において、それぞれのシリアル信号が別のシリアル信号であると認識させることができる。
【００５４】
そして、通常は、選択部６０の入力として受光部４０側が選択され、赤外線リモートコントローラ２０によって電子機器１０が操作されている場合であっても、制御信号が選択部６０に供給された場合には、選択部６０の入力を受信部５０側に切り替える。そのため、無線リモートコントローラ３０による電子機器１０の制御を優先的に行うことができる。
【００５５】
シリアル変換部５４における処理の流れについて、図７に示すフローチャートを参照して説明する。なお、特別な記載がない限り、以下の処理は、シリアル変換部５４の制御の下で行われるものとする。
【００５６】
ステップＳ１において、シリアル変換部５４にコード信号が入力されると、ステップＳ２では、入力されたコード信号が正しいか否かが判断される。入力されたコード信号が正しいと判断された場合には、処理がステップＳ３に移行する。ステップＳ３では、選択部６０における入力を受信部５０側に切り替えるための制御信号の生成が開始され、選択部６０に対して出力される。そして、ステップＳ４では、制御信号の生成が開始されてから所定時間待機し、ステップＳ５において、入力されたコード信号からシリアル信号への変換処理が開始される。
【００５７】
ステップＳ６では、シリアル信号への変換処理が完了したか否かが判断される。シリアル信号への変換処理が完了したと判断された場合には、処理がステップＳ７に移行する。一方、ステップＳ６において、シリアル信号への変換処理が完了していないと判断された場合には、処理がステップＳ６に戻る。
【００５８】
ステップＳ７では、シリアル信号への変換が完了してから、所定時間待機し、ステップＳ８において、制御信号の生成が停止され、一連の処理が終了する。
【００５９】
一方、ステップＳ２において、入力されたコード信号が正しいものではないと判断された場合には、シリアル信号への変換処理が行われず、一連の処理が終了する。
【００６０】
このように、この発明の実施の一形態では、無線リモートコントローラ３０からの送信信号を検出した際に制御信号を生成し、制御信号に基づき選択部６０の入力を切り替えるように制御しているため、赤外線リモートコントローラ２０および無線リモートコントローラ３０の両方のリモートコントローラを切り替えて使用することができる。
【００６１】
また、この発明の実施の一形態では、通常は、選択部６０の入力として受光部４０側が選択されており、制御信号が選択部６０に供給された場合には、入力を受信部５０側に切り替えるようにしているため、赤外線リモートコントローラ２０および無線リモートコントローラ３０の両方のリモートコントローラで電子機器１０を制御している場合であっても、無線リモートコントローラ３０による制御を優先的に行うことができる。
【００６２】
以上、この発明の実施の一形態について説明したが、この発明は、上述したこの発明の実施の一形態に限定されるものではなく、この発明の要旨を逸脱しない範囲内で様々な変形や応用が可能である。例えば、電子機器１０としては、テレビジョン受像機に限らず、ＤＶＲ（Digital Video Recorder）、ＶＣＲ（Video Cassette Recorder）、ＶＴＲ（Video Tape Recorder）、衛星放送チューナ、ケーブルテレビジョンチューナ、ＤＶＤ（Digital Versatile Disc）レコーダ、ＢＤ（Blu-ray Disc）レコーダ、ＣＤ（Compact Disc）プレーヤ、オーディオアンプなどのＡＶ（Audio/Video）機器や、冷蔵庫などの家庭電気製品でもよい。
【００６３】
また、選択部６０に供給される制御信号は、シリアル変換部５４に限らず、例えば、アンテナ５１で受信した送信信号を検波して生成するようにしてもよい。
【００６４】
さらに、受光部４０および受信部５０から出力されるシリアル信号を切り替える選択部６０としてスイッチを例にとって説明したが、例えば、受光部４０および受信部５０の出力インピーダンスに差を持たせることによって、選択部６０から出力されるシリアル信号を切り替えるようにしてもよい。
【図面の簡単な説明】
【００６５】
【図１】この発明の実施の一形態によるリモートコントロールシステムの一例の構成を示すブロック図である。
【図２】赤外線リモートコントローラおよび無線リモートコントローラの一例の構成を示すブロック図である。
【図３】シリアル信号について説明するための略線図である。
【図４】受光部および受信部の一例の構成を示すブロック図である。
【図５】各部における信号のタイミングを示すタイミングチャートである。
【図６】切り替え制御方法について説明するためのタイミングチャートである。
【図７】シリアル変換部における処理の流れを説明するためのフローチャートである。
【符号の説明】
【００６６】
１  リモートコントロールシステム
１０  電子機器
２０  赤外線リモートコントローラ
３０  無線リモートコントローラ
４０  受光部
４１  受光素子
４２  復調部
５０  受信部
５１  アンテナ
５２  ＲＦ部
５３  復調部
５４シリアル変換部
６０  選択部
７０  機器制御部
【図１】
0004539695.tif 000002
【図２】
0004539695.tif 000003
【図３】
0004539695.tif 000004
【図４】
0004539695.tif 000005
【図５】
0004539695.tif 000006
【図６】
0004539695.tif 000007
【図７】
0004539695.tif 000008